(57)【特許請求の範囲】
【請求項１】
使用者が乗馬姿勢で着座することのできる鞍型湾曲面を上部に有した座席部と、座席部に揺動運動を行わせる駆動装置とを備えるとともに、前記座席部を、使用者が椅子への腰掛け姿勢で着座することのできる着座面を上部に有した座面部と、座面部に折畳自在に備えられて座面部上を開閉するものであるとともに開状態での前部に背もたれ面を有して閉状態での上部に鞍型湾曲面を有して成る背もたれ部とで形成したバランス訓練装置において、背もたれ部の開状態での側部に折畳自在に接続される肘掛部を備えており、該肘掛部は、背もたれ部の閉状態での側部に接続されるあぶみ支持部と、あぶみ支持部の先端に設けられたあぶみ足載せ部とからなることを特徴とするバランス訓練装置。
【請求項２】
座面部と、背もたれ部の少なくとも一つに振動式マッサージ機構を内蔵していることを特徴とする請求項１に記載のバランス訓練装置。
【請求項３】
座面部と、背もたれ部の少なくとも一つにエアバッグを内蔵し、前記エアバッグへの給排気を行う給排気手段を備えていることを特徴とする請求項１または２に記載のバランス訓練装置。
【請求項４】
座面部と、背もたれ部の少なくとも一つに保温用ヒータを内蔵していることを特徴とする請求項１〜３のいずれかに記載のバランス訓練装置。
【請求項５】
背もたれ部にエアバッグを内蔵するとともに、ランバーサポートを設置していることを特徴とする請求項１〜４のいずれか１項に記載のバランス訓練装置。
【請求項６】
背もたれ部の角度を自在に変更する為のガススプリングを、その一端側を座面部に接続するとともに他端側を背もたれ部に夫々接続して備えていることを特徴とする請求項１〜５のいずれか１項に記載のバランス訓練装置。
【発明の詳細な説明】
【０００１】
【発明の属する技術分野】
本発明は、人が着座した状態で揺動運動を行わせて身体のバランス機能や運動機能を訓練する為に用いるバランス訓練装置に関する
【０００２】
【従来の技術】
従来から、使用者が着座する座席部と、座席部を揺動駆動させる駆動部とを備え、着座状態の使用者に揺動運動を与えることで身体のバランス機能や運動機能の訓練を行うバランス訓練装置が提案されてきた。
【０００３】
図６（ａ）、（ｂ）には、座席部２を鞍型として使用者に騎乗時と似た乗馬運動を行わせる従来のバランス訓練装置１を示している。このバランス訓練装置１は、通常の椅子と同様の着座面３ａを上部に有した座面部３と、一方の側に鞍型湾曲面４ａを有するとともにその反対側に背もたれ面４ｂを有して前記座面部３の後端部にて折畳自在に接続されて備えられる背もたれ部４とで、鞍型の座席部２を構成しており、前記座席部２全体を、その下方に備えた箱型の支持台６で支持したものである。また、支持台６の内部には駆動装置（図示せず）を配置させ、支持台６の左右両側面にはあぶみ５を夫々垂設させている。
【０００４】
上記構成により、図６（ａ）に示すように背もたれ部４を倒して座面部３上を閉じた状態としたエクサモードにあっては、背もたれ部４の鞍型湾曲面４ａは上部に位置することとなり、鞍型湾曲面４ａ上に使用者が騎乗姿勢でまたがるとともに両端のあぶみ５に夫々足を踏みかけて、この状態で支持台６内の駆動装置により座席部２全体を前後左右方向に揺動駆動させることで、使用者は乗馬運動によるバランス訓練を室内等で容易に行うことができる。
【０００５】
また、図６（ｂ）に示すように背もたれ部４を起こして座面部３上を開いた状態とした椅子モードにあっては、座面部３の着座面３ａ上に着座した使用者が、この状態で背もたれ部４の前部に位置する背もたれ面４ｂに背中を当てる等して、通常の椅子として使用することが可能となる。
【０００６】
【発明が解決しようとする課題】
しかしながら、上記した従来のバランス訓練装置１は、椅子モードにおいて使用者にくつろぎ感を与える為の椅子形状としては不充分であり、また、バランス訓練後のクールダウンに使用する為のものとしても不充分であった。
【０００７】
本発明は上記の点に鑑みてなされたものであり、バランス訓練での高い運動効果とともに高いクールダウン効果を得ることもできるように、椅子としてのくつろぎ感を考慮したバランス訓練装置を提供することを課題とするものである。
【０００８】
【課題を解決するための手段】
上記課題を解決するために本発明を、使用者が乗馬姿勢で着座することのできる鞍型湾曲面を上部に有した座席部と、座席部に揺動運動を行わせる駆動装置とを備えるとともに、前記座席部を、使用者が椅子への腰掛け姿勢で着座することのできる着座面を上部に有した座面部と、座面部に折畳自在に備えられて座面部上を開閉するものであるとともに開状態での前部に背もたれ面を有して閉状態での上部に鞍型湾曲面を有して成る背もたれ部とで形成したバランス訓練装置において、背もたれ部の開状態での側部に折畳自在に接続される肘掛部を備えており、該肘掛部は、背もたれ部の閉状態での側部に接続されるあぶみ支持部と、あぶみ支持部の先端に設けられたあぶみ足載せ部とからなることを特徴としたものとする。
【０００９】
このようにすることで、背もたれ部を開状態とした椅子モードにあるときに肘掛部を利用することができてリラックスすることができ、しかもこの肘掛部はバランス訓練を行うエキサモードの際には足をかけるあぶみとして用いることができる。
【００１０】
また、座面部と、背もたれ部の少なくとも一つに振動式マッサージ機構を内蔵していることも好ましく、このようにすることで、背もたれ部を閉状態としたエクサモードにてバランス運動を行った後に、背もたれ部を開状態とした椅子モードにて着座すれば、振動式マッサージ機構により更にくつろぎ感が向上して効果的なクールダウンを行うことができる。
【００１１】
また、座面部と、背もたれ部の少なくとも一つにエアバッグを内蔵し、前記エアバッグへの給排気を行う給排気手段を備えていることをも好ましく、このようにすることで、背もたれ部を閉状態としたエクサモードにてバランス運動を行った後に、背もたれ部を開状態とした椅子モードにて着座すれば、エアバッグの伸縮膨張により更にくつろぎ感が向上して効果的なクールダウンを行うことができる。
【００１２】
また、座面部と、背もたれ部の少なくとも一つに保温用ヒータを内蔵していることも好ましく、このようにすることで、背もたれ部を閉状態としたエクサモードにてバランス運動を行った後に、背もたれ部を開状態とした椅子モードにて着座すれば、ヒータによる暖め効果により更にくつろぎ感が向上して効果的なクールダウンを行うことができる。
【００１４】
また、背もたれ部にエアバッグを内蔵するとともに、ランバーサポートを設置していることも好ましく、このようにすることで、背もたれ部を開状態とした椅子モードにて着座した際のくつろぎ感が向上する。
【００１５】
また、背もたれ部の角度を自在に変更する為のガススプリングを、その一端側を座面部に接続するとともに他端側を背もたれ部に夫々接続して備えていることも好ましく、このようにすることで、ガススプリングを伸縮させることで背もたれ部の角度を容易に調整することができる。
【００１６】
【発明の実施の形態】
以下、本発明を添付図面に示す実施の形態に基づいて説明する。図１には、本発明の実施の形態における一例のバランス訓練装置１を示しているが、本例のバランス訓練装置１は従来の技術にて説明したものと同様の構成を備えた部分があるので、その部分については説明を省略する。
【００１７】
まず、図１（ｂ）に基づいて椅子モードにある本例のバランス訓練装置１についてから説明を行う。支持台６上に支持される座面部３には、足載せ部７がその後端部を座面部３の前端部に折畳自在に接続させて備えられており、この状態において足載せ部７はその上部に形成される足載せ面７ａが座面部３の着座面３ａと略平行になるような位置で保持されている。
【００１８】
また、背もたれ部４の左右両側部には、肘掛部８がその後端部を折畳自在に接続させて前方に突出するように支持されて夫々備えられている。また、背もたれ部４の上端部には、ヘッドレスト部９がその下端部を折畳自在に接続させて備えられており、この状態においてヘッドレスト部９はその前部に形成されるヘッドレスト面９ａが背もたれ部４の背もたれ面４ａと略平行になるような位置で保持されている。
【００１９】
従って、椅子モードにおいて使用者は座面部３の着座面３ａ上に腰を置き、両足を足載せ部７の足載せ面７ａ上に載せて前方に伸ばし、両肘を肘掛部８上に掛け、後頭部をヘッドレスト部９のヘッドレスト面９ａ上にもたれ掛けさせることで、リラックスした姿勢を保持することができる。
【００２０】
次に、エクサモードにあるバランス訓練装置１について説明を行う。既述した椅子モードから図１（ａ）に示すエクサモードに移行させる為には、ヘッドレスト部９をヘッドレスト面９ａが背もたれ部４の背もたれ面４ａと当接する程度まで前方に倒して折り畳んだ後に、背もたれ部４を背もたれ面４ａが座面部３の着座面３ａと当接する程度まで前方に倒して折り畳む。更に、上記のように折り畳んだ背もたれ部４の前面と足載せ面７ａが当接する程度まで足載せ部７を起こせば、このように略垂直な状態に折り畳まれた足載せ部７と、座面部３と、背もたれ部４とが一体となって鞍型の座席部２が形成される。また、肘掛部８についても椅子モードの状態から支持部を中心に略１８０度回転させて折り畳むことでエクサモードにて使用者の邪魔にならない位置に保持しておくことができる。
【００２１】
上記のようにして各部材を折り畳んだ状態で、背もたれ部４の上部に位置することとなった鞍型湾曲面４ａにまたがって座席部２の適宜個所を掴る等した姿勢を保ちながら、支持台６内の駆動装置を起動させて座席部２に前後左右の揺動運動を行わせれば、使用者は乗馬運動によるバランス訓練を行うことができる。
【００２２】
エクサモードから椅子モードに移行する場合には、上記した椅子モードからエクサモードへの移行と逆の手順をとれば良い。つまり、上記した本例のバランス訓練装置１は、各部材の折り畳みによりエクサモードと椅子モードを自在に選択することができるとともに、椅子モードとしたときに良好なリラックス感を得ることのできるものである。また、上記した足載せ部７や肘掛部８やヘッドレスト部９のうち、一つまたは二つだけ備えたものであっても良い。
【００２３】
次に、本発明の実施の形態における他例を説明するが、他例の構成は既述した一例の構成と略同一であるので、一例と異なる特徴的な構成についてのみ説明する。図２に示すような他例のバランス訓練装置１は足載せ部７内部の適宜箇所Ａ、及び、座面部３内部の適宜箇所Ｂ、及び、背もたれ部４内部の適宜箇所Ｃに、夫々振動式マッサージ機構（図示せず）とエアバッグ（図示せず）とヒータ（図示せず）とを備えるとともに、上記エアバッグへの給排気を行う給排気装置（図示せず）を備えたものであり、上記構成により、椅子モードにあるバランス訓練装置１に着座した利用者はヒータにより体を暖めるとともに振動式マッサージ機構の駆動やエアバッグの膨張収縮により各部位のマッサージを行うことができる。
【００２４】
これにより、特にエクサモードで乗馬運動によるバランス訓練を行った後に、椅子モードとして着座した状態で効果的なクールダウンを行うことが可能となり、また、それ以外の場合であっても椅子モードにおいて着座すれば大きなリラックス効果を得ることができる。加えて、背もたれ部４の背もたれ面４ａには、内蔵したエアバッグを利用して前方に突出したランバーサポート部１０を形成しており、これに腰部を当てることにより更に高いクールダウン効果及びリラックス効果が得られるようになっている。
【００２５】
また、上記した振動式マッサージ機構、エアバッグ及び給排気装置、ヒータは、夫々が全てＡ、Ｂ、Ｃの箇所に備えられる必要はなく、各箇所にいずれか一つまたは二つが備えられるか、若しくは、いずれも備えられていない箇所があっても構わない。
【００２６】
次に、本発明の実施の形態における更に他例について説明を行うが、更に他例の構成は既述した一例の構成と略同一であるので、一例と異なる特徴的な構成についてのみ図３、図４に基づいて説明する。本例のバランス訓練装置１の肘掛部８は、背もたれ部４の側部に一端を接続されるあぶみ支持部１１と、該あぶみ支持部１１の他端に回動自在に支持されて備えられるあぶみ足載せ部１２とで形成されている。従って、椅子モードにあるときは、あぶみ支持部１１とあぶみ足載せ部１２との長手方向を一致させることで柱状の肘掛部８として保持することができ、エクサモードにあるときは、あぶみ支持部１１を下方に突出させるとともに足載せ部１２を約９０度後方に回動させることで略Ｌ字状に保持する。この時、足載せ部１２の上面に足を載せることができるために、あぶみ足載せ部１２をあぶみとして利用することができる。
【００２７】
次に、本発明の実施の形態における別例について説明を行うが、別例の構成は従来の技術にて既述した構成と略同一であるので、従来の技術と異なる特徴的な構成についてのみ説明する。図５（ａ）、（ｂ）に示すように、本例のバランス訓練装置１は座面部３と背もたれ部４との間に、一端側が座面部３の側面後部に接続されるとともに他端側が閉状態における背もたれ部４の側面後部に接続される伸縮自在のガススプリング１３を介在させている。上記ガススプリング１３の背もたれ部４側にはリクライニング調節レバー１４を備えており、このリクライニング調節レバー１４をロック状態にした場合にはガススプリング１３は長さ調節不能であり、ロックを解除してフリー状態にした場合に初めてガススプリング１３が長さ調節自在となるように設けられている。
【００２８】
従って、例えば図５（ａ）に示すエクサモードから図５（ｂ）に示す椅子モードへと移行させる場合には、ロック状態にされていたリクライニング調節レバー１４をフリー状態として背もたれ部４を起こした後に、更にロック状態とフリー状態を繰返す等して使用者の好みの角度に調節できた時点でリクライニング調節レバー１４を離してロック状態に戻し、背もたれ部４を固定すれば良い。これにより、使用者の背もたれ部４を好みの角度に容易に調節可能となる。
【００２９】
また、このようなガススプリング１３を一例、他例、更に他例のバランス訓練装置１に備えたものであっても良い。
【００３０】
【発明の効果】
上記のように請求項１に記載の発明にあっては、背もたれ部を開状態とした椅子モードにあるときに使用者は肘掛部に肘を載せてリラックスすることができることから、くつろぎ感が向上するという効果がある。しかも上記肘掛部は、背もたれ部を閉状態としたエクサモードにあるとき、あぶみとして使用することができるので、別にあぶみを備える必要が無く、部品点数を減らすことができるという効果がある。
【００３１】
また、請求項２に記載の発明にあっては、請求項１に記載の発明の効果に加えて、背もたれ部を閉状態としたエクサモードにてバランス運動を行った後に、背もたれ部を開状態とした椅子モードにて着座すれば、振動式マッサージ機構により更にくつろぎ感が向上して効果的なクールダウンを行うことができるという効果がある。
【００３２】
また、請求項３に記載の発明にあっては、請求項１または２に記載の発明の効果に加えて、背もたれ部を閉状態としたエクサモードにてバランス運動を行った後に、背もたれ部を開状態とした椅子モードにて着座すれば、エアバッグの膨張収縮により更にくつろぎ感が向上して効果的なクールダウンを行うことができるという効果がある。
【００３３】
また、請求項４に記載の発明にあっては、請求項１〜３のいずれかに記載の発明の効果に加えて、背もたれ部を閉状態としたエクサモードにてバランス運動を行った後に、背もたれ部を開状態とした椅子モードにて着座すれば、ヒータによる暖め効果により更にくつろぎ感が向上して効果的なクールダウンを行うことができるという効果がある。
【００３５】
また、請求項５に記載の発明にあっては、請求項１〜４のいずれかに記載の発明の効果に加えて、背もたれ部を開状態とした椅子モードにて着座した際のくつろぎ感が向上するという効果がある。
【００３６】
また、請求項６に記載の発明にあっては、請求項１〜５のいずれかに記載の発明の効果に加えて、ガススプリングを伸縮させることで背もたれ部の角度を容易に調整することができるという効果がある。
【図面の簡単な説明】
【図１】本発明の実施の形態における一例のバランス訓練装置の概略斜視図であり、（ａ）はエクサモード、（ｂ）は椅子モードを示している。
【図２】本発明の実施の形態における他例のバランス訓練装置の概略斜視図である。
【図３】本発明の実施の形態における更に他例のバランス訓練装置の概略説明図である。
【図４】同上のバランス訓練装置の概略斜視図である。
【図５】本発明の実施の形態における別例のバランス訓練装置の概略斜視図であり、（ａ）はエクサモード、（ｂ）は椅子モードを示している。
【図６】従来のバランス訓練装置の概略斜視図であり、（ａ）はエクサモード、（ｂ）は椅子モードを示している。
【符号の説明】
１  バランス訓練装置
２  座席部
３  座面部
３ａ  着座面
４  背もたれ部
４ａ  鞍型湾曲面
４ｂ  背もたれ面
７  足載せ部
８  肘掛部
９  ヘッドレスト部
１０  ランバーサポート部
１１  あぶみ支持部
１２  あぶみ足載せ部
１３  ガススプリング
【図１】
0003921979.tif 000002
【図２】
0003921979.tif 000003
【図３】
0003921979.tif 000004
【図４】
0003921979.tif 000005
【図５】
0003921979.tif 000006
【図６】
0003921979.tif 000007